【手続補正書】
【提出日】平成29年1月27日(2017.1.27)
【手続補正１】
【補正対象書類名】特許請求の範囲
【補正対象項目名】全文
【補正方法】変更
【補正の内容】
【特許請求の範囲】
【請求項１】
第１光電変換部と、第２光電変換部と、前記第１光電変換部と前記第２光電変換部に対して共通に設けられた出力部とを有する画素セルと、
前記出力部が出力する信号を増幅した信号を出力する増幅部と、前記増幅部が出力する信号をバッファするバッファ部と、前記バッファ部が出力する信号を保持する容量素子と、前記バッファ部と前記容量素子との間の導通状態と非導通状態とを切り替えるスイッチ部とを有する読み出し回路とを有する撮像装置であって、
前記出力部が、前記第１光電変換部が蓄積した電荷に基づく第１光信号を出力し、
前記増幅部が、前記第１光信号を増幅することによって第１増幅信号を出力し、
前記バッファ部が、前記第１増幅信号をバッファした第１バッファ信号を出力し、
前記出力部が、前記第１光電変換部が蓄積した電荷と前記第２光電変換部が蓄積した電荷とを足した電荷に基づく第２光信号を出力し、
前記増幅部が、前記第２光信号を増幅することによって第２増幅信号を出力し、
前記バッファ部が、前記第２増幅信号をバッファした第２バッファ信号を出力し、
前記第１バッファ信号を前記容量素子に保持させるために、前記バッファ部と前記容量素子との間の電気的経路を前記スイッチ部が導通状態としている期間が、前記第２バッファ信号を前記容量素子に保持させるために、前記バッファ部と前記容量素子との間の電気的経路を前記スイッチ部が導通状態としている期間よりも短いことを特徴とする撮像装置。
【請求項２】
前記読み出し回路は、前記増幅部と前記バッファ部との間の電気的経路に設けられた第２容量素子と、前記増幅部と前記第２容量素子との間の電気的経路の導通状態と非導通状態とを切り替える第２スイッチ部とをさらに有し、
前記増幅部が前記第１増幅信号を出力している場合に、前記増幅部と前記第２容量素子との間の電気的経路を前記第２スイッチ部が導通状態としている期間が、
前記増幅部が前記第２増幅信号を出力している場合に、前記増幅部と前記第２容量素子との間の電気的経路を前記第２スイッチ部が導通状態としている期間よりも短いことを特徴とする請求項１に記載の撮像装置。
【請求項３】
前記読み出し回路は、前記増幅部と前記バッファ部との間の電気的経路に設けられた第３容量素子と、前記増幅部と前記第３容量素子との間の電気的経路の導通状態と非導通状態とを切り替える第３スイッチ部とを有し、
前記出力部は、さらにノイズ信号を出力し、
前記増幅部は、前記ノイズ信号を増幅した増幅ノイズ信号を出力し、
前記増幅ノイズ信号を前記第３容量素子に保持させるために、前記増幅部と前記第３容量素子との間の電気的経路を前記第３スイッチ部が導通状態としている期間が、
前記第１増幅信号を前記第２容量素子に保持させるために、前記増幅部と前記第２容量素子との間の電気的経路を前記第２スイッチ部が導通状態としている期間よりも短いことを特徴とする請求項２に記載の撮像装置。
【請求項４】
前記読み出し回路は、前記増幅部と前記バッファ部との間の電気的経路に設けられた第２容量素子と、前記増幅部と前記第２容量素子との間の電気的経路の導通状態と非導通状態とを切り替える第２スイッチ部とをさらに有し、
前記第２容量素子は、前記第１増幅信号を保持した後、前記第１増幅信号をリセットせずに前記第２増幅信号を保持する容量素子であって、
前記第１増幅信号を前記第２容量素子に保持させるために、前記増幅部と前記第２容量素子との間の電気的経路を前記第２スイッチ部が導通状態としている期間の長さが、
前記第２増幅信号を前記第２容量素子に保持させるために、前記増幅部と前記第２容量素子との間の電気的経路を前記第２スイッチ部が導通状態としている期間の長さ以下であることを特徴とする請求項１に記載の撮像装置。
【請求項５】
前記読み出し回路は、前記増幅部と前記バッファ部との間の電気的経路に設けられた第３容量素子と、前記増幅部と前記第３容量素子との間の電気的経路の導通状態と非導通状態とを切り替える第３スイッチ部とを有し、
前記出力部は、さらにノイズ信号を出力し、
前記増幅部は、前記ノイズ信号を増幅した増幅ノイズ信号を出力し、
前記増幅ノイズ信号を前記第３容量素子に保持させるために、前記増幅部と前記第３容量素子との間の電気的経路を前記第３スイッチ部が導通状態としている期間が、前記第１増幅信号を前記第２容量素子に保持させるために、前記増幅部と前記第２容量素子との間の電気的経路を前記第２スイッチ部が導通状態としている期間よりも短いことを特徴とする請求項４に記載の撮像装置。
【請求項６】
前記第１光電変換部と前記第２光電変換部とに光を導く共通のマイクロレンズをさらに有することを特徴とする請求項１〜５のいずれかに記載の撮像装置。
【請求項７】
前記画素セルが前記第１光電変換部と前記第２光電変換部とを含むＬ個の光電変換部を含み、
前記第１光信号は、前記Ｌ個の光電変換部のうちの、前記Ｌ個よりも少ないＭ個の光電変換部の各々が蓄積した電荷同士を足した電荷に基づく信号であり、
前記第２光信号は、前記Ｌ個の光電変換部の各々が蓄積した電荷同士を足した電荷に基づく信号であり、
前記第１バッファ信号を前記容量素子に保持させるために、前記バッファ部と前記容量素子との間の電気的経路を前記スイッチ部が導通状態としている期間の長さが、
前記第２バッファ信号を前記容量素子に保持させるために、前記バッファ部と前記容量素子との間の電気的経路を前記スイッチ部が導通状態としている期間の長さのＭ／Ｌ以下であることを特徴とする請求項１〜６のいずれかに記載の撮像装置。
【請求項８】
請求項１〜７のいずれかに記載の撮像装置と、前記撮像装置が出力する信号を処理する出力信号処理部とを有することを特徴とする撮像システム。
【請求項９】
請求項６に記載の撮像装置と、
前記撮像装置に光を集光する光学系と、
前記撮像装置から信号が入力される出力信号処理部とを有する撮像システムであって、
前記出力信号処理部は、前記第１バッファ信号に基づく信号と前記第２バッファ信号に基づく信号との差の信号と、前記第１バッファ信号に基づく信号とによって焦点検出を行い、
前記出力信号処理部は、前記第２バッファ信号に基づく信号によって画像を生成することを特徴とする撮像システム。
【手続補正２】
【補正対象書類名】明細書
【補正対象項目名】０００６
【補正方法】変更
【補正の内容】
【０００６】
本発明は、上記の課題を鑑みて為されたものであり、一の態様は、第１光電変換部と、第２光電変換部と、前記第１光電変換部と前記第２光電変換部に対して共通に設けられた出力部とを有する画素セルと、前記出力部が出力する信号を増幅した信号を出力する増幅部と、前記増幅部が出力する信号をバッファするバッファ部と、前記バッファ部が出力する信号を保持する容量素子と、前記バッファ部と前記容量素子との間の導通状態と非導通状態とを切り替えるスイッチ部とを有する読み出し回路とを有する撮像装置であって、前記出力部が、前記第１光電変換部が蓄積した電荷に基づく第１光信号を出力し、前記増幅部が、前記第１光信号を増幅することによって第１増幅信号を出力し、前記バッファ部が、前記第１増幅信号をバッファした第１バッファ信号を出力し、前記出力部が、前記第１光電変換部が蓄積した電荷と前記第２光電変換部が蓄積した電荷とを足した電荷に基づく第２光信号を出力し、前記増幅部が、前記第２光信号を増幅することによって第２増幅信号を出力し、前記バッファ部が、前記第２増幅信号をバッファした第２バッファ信号を出力し、前記第１バッファ信号を前記容量素子に保持させるために、前記バッファ部と前記容量素子との間の電気的経路を前記スイッチ部が導通状態としている期間が、前記第２バッファ信号を前記容量素子に保持させるために、前記バッファ部と前記容量素子との間の電気的経路を前記スイッチ部が導通状態としている期間よりも短いことを特徴とする撮像装置である。